(57)【要約】【課題】天板に設けた取り扱い用の取っ手の固定強度を向上し、かつ、取っ手端面による怪我を防止することが可能な信頼性及び安全性の高い室内ユニットを提供すること。【解決手段】室外ユニットの右側面を構成する右側板２の上部に下方に接触端面を有する凸形状のネジ座１１を設け、また天面を構成する天板１に側板から外側に突き出した取っ手部８を設け、取っ手部８及び天板１全周に折り返し部１４を設けるとともに、右側板２と天板１を組み合わせた状態で右側板２のネジ座１１の接触端面と天板１の折り返し部が接触する構成としたことで、天板１及び右側板２の組立て時に機械的な固定強度が加わり、ネジのみによる締結よりも強固に固定できるとともに、取っ手部８のエッジ部による怪我が防止できる。【選択図】図２
2010164221.tif 000002
【特許請求の範囲】
【請求項１】
天面を被う天板と、側面を被う側板とを含んで筐体が構成される空気調和機の室外ユニットであって、前記側板の上部には前記筐体の内側に落ち込む段差部を設けるとともに該段差部には筐体の外側に突き出す凸形状のネジ座を設け、かつ、前記ネジ座の下部にはネジ座の一部を切り取って接触端面を形成し、前記天板には前記側板よりも外側に突き出した取っ手部を設け、該取っ手部の両側に前記側板に設けたネジ座に対応するネジ固定穴を設けるとともに、前記取っ手部を含む前記天板全周に、前記筐体内側への折り返し部と折り返し端部を形成し、前記天板と前記側板を組み合わせたときに、前記側板のネジ座の接触端面と前記天板の折り返し端面が互いに接触する構成とした空気調和機の室外ユニット。
【請求項２】
天面を被う天板と、側面を被う側板とを含んで筐体が構成される空気調和機の室外ユニットであって、前記側板の上部には前記筐体の内側に落ち込む段差部を設けるとともに、該段差部にはネジ受け形状部及び引っ掛け穴を形成し、前記天板には前記側板よりも外側に突き出した取っ手部を設け、該取っ手部の両側に前記側板に設けたネジ座に対応するネジ固定穴を設けるとともに、前記取っ手部を含む前記天板全周に、前記筐体内側への折り返し部を設け、かつ前記折り返し部の一部をさらに延長して引っ掛け形状部を形成し、前記天板と前記側板を組み合わせたときに、前記側板の引っ掛け穴と前記天板の引っ掛け形状部が係合する構成とした空気調和機の室外ユニット。
【発明の詳細な説明】
【技術分野】
【０００１】
本発明は、空気調和機の室外ユニットの取っ手構造に関するものである。
【背景技術】
【０００２】
従来、この種の空気調和機の室外ユニットは、その取り扱い性を向上させるためその側面等に取っ手を設けているが、その構造は、側面に貫通穴を開けてその部分に樹脂製の取っ手部品を挿入して取っ手を構成するのが一般的である。しかし近年、その構成が簡略化され取っ手を室外ユニットの天面を構成する部品で一体に構成した室外ユニットが普及している（例えば、特許文献１参照）。
【０００３】
図１１及び図１２はそれぞれ、特許文献１に記載された従来の空気調和機の室外ユニットの取っ手構造を示す斜視図及び取っ手部を示す室外ユニットの断面図である。
【０００４】
図１１に示すように、室外ユニットは、上面に天面パネル３１、側面に側面パネル３３内部には、熱交換器３２などを設け、天面パネル３１の短辺側を側面パネル３３より突き出して取っ手部３４を構成している。そして天面パネル３１と側面パネル３３の固定は、側面パネル３３を被って天面パネル３１が装着され、その取っ手部３４の両側にネジを締め付けて行われる。
【特許文献１】特開２００２−８１６９６号公報
【発明の開示】
【発明が解決しようとする課題】
【０００５】
しかしながら、前記従来の空気調和機の室外ユニットでは、天面パネル３１と側面パネル３３が取っ手部３４の両側のネジで単に固定されているだけであり、ネジが緩んだり錆びたりすると取っ手３４部分を持つ際の固定強度が大幅に低下し信頼性に欠けるものであった。
【０００６】
特に、空気調和機の室外ユニットは、重量物である圧縮機を搭載しているため、重心が片側にあることが多く、重量が大きい側の取っ手構成としては、適用できないものであった。また、図１２に示すように取っ手部３４の端面がエッジとなっているため、取っ手部３４に掛ける手を傷つける恐れがあった。
【０００７】
本発明は、前記従来の課題を解決するもので、室外ユニットの取っ手として信頼性及び安全性の高いものを提供することを目的とする。
【課題を解決するための手段】
【０００８】
前記従来の課題を解決するために、本発明の空気調和機の室外ユニットは、天面を被う天板と、側面を被う側板とを含んで筐体が構成される空気調和機の室外ユニットであって、前記側板の上部には前記筐体の内側に落ち込む段差部を設けるとともに該段差部には筐体の外側に突き出す凸形状のネジ座を設け、かつ、前記ネジ座の下部にはネジ座の一部を切り取って接触端面を形成し、前記天板には前記側板よりも外側に突き出した取っ手部を設け、該取っ手部の両側に前記側板に設けたネジ座に対応するネジ固定穴を設けるとともに、前記取っ手部を含む前記天板全周に、前記筐体内側への折り返し部と折り返し端部を形成し、前記天板と前記側板を組み合わせたときに、前記側板のネジ座の接触端面と前記天板の折り返し端面が互いに接触する構成としたものである。
【０００９】
これによって筐体の天板及び側板の組立て時にネジを締め付けると、ネジ座の接触端面
と天板の折り返し部が接触することで機械的な固定強度が加わり、ネジのみによる締結よりも強固に固定することができ信頼性が向上する。
【発明の効果】
【００１０】
本発明の空気調和機の室外ユニットは、天板に折り返し部を設け、該天板の折り返し部と側板の対応する位置に相互に固定される構造を設けたことにより、筐体の天板及び側板の組立て時に機械的な固定強度が加わり、ネジのみによる締結よりも強固に固定することができ信頼性を向上できる。また取っ手部の先端に折り返し部を設けたから取っ手に手を掛けても怪我などをすることがない。またさらにネジ座や折り返し部を天板の内側で形成するからその部位が外側に露出することがなく雨水などが室外ユニットの内部に浸入することもない。
【発明を実施するための最良の形態】
【００１１】
第１の発明は、天面を被う天板と、側面を被う側板とを含んで筐体が構成される空気調和機の室外ユニットであって、前記側板の上部には前記筐体の内側に落ち込む段差部を設けるとともに該段差部には筐体の外側に突き出す凸形状のネジ座を設け、かつ、前記ネジ座の下部にはネジ座の一部を切り取って接触端面を形成し、前記天板には前記側板よりも外側に突き出した取っ手部を設け、該取っ手部の両側に前記側板に設けたネジ座に対応するネジ固定穴を設けるとともに、前記取っ手部を含む前記天板全周に、前記筐体内側への折り返し部と折り返し端部を形成し、前記天板と前記側板を組み合わせたときに、前記側板のネジ座の接触端面と前記天板の折り返し端面が互いに接触する構成としたことで、室外ユニットの筐体の組立て時にネジを締め付けるとネジ座の接触端面と天板の折り返し端面が機械的な固定状態となって強固な固定を実現でき、ネジの緩みや腐食に対しても固定の維持が容易で信頼性を向上させることができる。
【００１２】
また、取っ手部及び天板全周に内側への折り返し部を設けたから取っ手部に手をかけて怪我などもすることもなく天板の全体の強度を向上させることができる。
【００１３】
また、ネジ座や折り返し部を天板の内側で形成するからその部位が外側に露出することもなく雨水などが室外ユニットの内部に浸入することもない。
【００１４】
さらにネジ座は段差部と一体で絞り形状でできているからその接触端面は強固であり、接触端面と折り返し端面が接触する位置でネジを締め付けるため固定が安定する。
【００１５】
第２の発明は、天面を被う天板と、側面を被う側板とを含んで筐体が構成される空気調和機の室外ユニットであって、前記側板の上部には前記筐体の内側に落ち込む段差部を設けるとともに、該段差部にはネジ受け形状部及び引っ掛け穴を形成し、前記天板には前記側板よりも外側に突き出した取っ手部を設け、該取っ手部の両側に前記側板に設けたネジ座に対応するネジ固定穴を設けるとともに、前記取っ手部を含む前記天板全周に、前記筐体内側への折り返し部を設け、かつ前記折り返し部の一部をさらに延長して引っ掛け形状部を形成し、前記天板と前記側板を組み合わせたときに、前記側板の引っ掛け穴と前記天板の引っ掛け形状部が係合する構成としたことで、ネジの締め付けに加えて右側板の引っ掛け穴と天板の引っ掛け形状部が機械的な固定状態となって強固な固定を実現でき、ネジの緩み、腐食、外れなどに対しても固定の維持が容易で信頼性を向上させることができる。
【００１６】
また、取っ手部及び天板全周に内側への折り返し部を設けたから取っ手部に手をかけて怪我などもすることもなく天板の全体の強度を向上させることができる。
【００１７】
また、引っ掛け穴や引っ掛け形状部を天板の内側で形成するからその部位が外側に露出
することもなく雨水などが室外ユニットの内部に浸入することもない。
【００１８】
さらに天板の引っ掛け形状部は、天板の折り返し部から延長して折り曲げて一体で形成するから強固であり形状が安定する。
【００１９】
また、引っ掛け穴及び引っ掛け形状部を任意の幅に設定することができるため、幅を大きくすることで固定強度をより高めることが可能となる。
【００２０】
以下、本発明の実施の形態について、図面を参照しながら説明する。なお、この実施の形態によって本発明が限定されるものではない。
【００２１】
（実施の形態１）
図１〜図５は、本発明の第１の実施の形態における空気調和機の室外ユニットの構成を示すものである。
【００２２】
図１は室外ユニットの外観図を示しており、該室外ユニットの筐体は室外ユニットの外装天面を構成する天板１、右側面を構成する右側板２、前面を構成する前板３及び左側面を構成する左側板４から構成されている。また、当該室外ユニットには圧縮機５、熱交換器６などの要素部品が内蔵されている。さらに、右側板２には、電線接続部や二、三方弁を被って電源カバー７が設けられている。
【００２３】
また、天板１は、下側に開口を有した箱形状になっておりその両側面には、右側板２、左側板４から突き出して取っ手部８，９が設けられ、該取っ手部８，９は、室外ユニットを据付工事などで運ぶときの手を掛ける部位となっている。前記圧縮機５は、室外ユニットの中で最重量物であるが、図１のように室外ユニットの右寄りに設けられているため、天板１の取っ手部８，９に手を掛けて室外ユニットを持ち運ぼうとすると、右側の取っ手部８に多大な重量がかかることになる。
【００２４】
また、図２〜図４はそれぞれ、本実施の形態における室外ユニットの右側斜視図、右側板２の詳細図、図２におけるＡ−Ａ断面図を示している。
【００２５】
図２、図３において１０は、右側板２の上部で箱体の内側に落とし込んで設けられた段差部であり、段差部１０の幅及び高さは、天板１の取っ手部８を有する辺とほぼ同じ大きさとなっている。段差部１０の上端は、内側に折れ曲がった形状となっており段差部１０の上部の端面強度を確保している。また、段差部１０には、箱体の外側に突き出して段差部１０を絞って形成された凸形状のネジ座１１が設けられている。ネジ座１１の上部は、円弧形状であり、その中央にはネジの下穴が形成され、その下部には、ネジ座１１の下側を切り落とした形で接触端面１２が設けられている。つまり、ネジ座１１の下にネジ座１１の絞りにかかる横長のスリット穴１３を設けて接触端面１２の鋭角な形状を確保している。
【００２６】
一方、前記天板１及び取っ手部８，９の下端には、図４のように天板１の全周内側に連続して下端に円弧形状を有する折り返し部１４が形成され、折り返し部１４の上端には、折り返し端面１５が設けられている。また、取っ手部８の両側には、右側板２のネジ座１１に対応してネジ固定穴１６が設けられている。
【００２７】
そして、右側板２と天板１を組み合わせた状態では、図４のように右側板２の下向きの接触端面１２と天板１の上向きの折り返し端面１５は、接触して天板１の動きを規制している。
【００２８】
また、一方、図示はないが、取っ手部９の両端にもネジ固定穴１６と同様の穴が設けられるが、左側板４には、右側板２のような下部に接触端面１２を有したネジ座１１は、設けられていない。
【００２９】
以上のように構成された室外ユニットについて、以下その動作、作用を説明する。
【００３０】
図５は天板１の装着時の様子を示す図である。図５に示すように、天板１を室外ユニットに装着するときは、天板１の右側を一旦、右側板２の右側にずらしたのち、図４のように右側板２のネジ座１１の下側に天板１の折り返し部１４を挿入した状態にし、その後、天板１の左側を左側板４に上から装着して取っ手部８，９の両側のネジを固定して行う。
【００３１】
そして図４に示すように天板１と右側板２が組み合わされた状態のとき、天板１の折り返し部１４が右側板２のネジ座１１の下側に配置されることになり、折り返し部１４の折り返し端面１５とネジ座１１の下側の接触端面１２が対向接触して天板１の上方への移動を阻止することができる。
【００３２】
つまり、天板１の取っ手部８に手を掛けて室外ユニットを持ち運ぼうとするとき、取っ手部８に圧縮機５の重量を含めて多大な荷重がかかるが、ネジによる締結力に加えて折り返し端面１５と接触端面１２の対向接触で機械的な固定が強化される。
【００３３】
また、前記天板１及び取っ手部８，９の下端には、天板１の全周内側に連続して折り返し部１４が形成されているため、天板１の端面に連続した二重壁ができており、断面係数が向上し強度が向上する。また折り返し部１４下端には滑らかな円弧形状を設けているから端面が露出することもない。
【００３４】
以上のように、本実施の形態においては、右側板２の上部に接触端面１２を有するネジ座１１を設け、天板１及び取っ手部８の下端に折り返し部１４を設け、ネジ座１１の下側に折り返し部１４を配置したから、ネジ座１１の接触端面１２と折り返し部１４の折り返し端面１５が対向接触して機械的な固定が強化され、天板１の固定に関してネジの緩みや腐食に対しても固定の維持が容易で信頼性を向上させることができる。
【００３５】
また、折り返し部１４を天板１及び取っ手部８，９の全周に設けたから天板１全体の強度を向上させることができる。さらに、折り返し部１４の下端には円弧形状を形成しているため、取っ手部８，９に手を掛けても取っ手部８，９の端面で怪我などをすることもない。
【００３６】
また、ネジ座１１や折り返し部１４は天板１の内側に形成しているためそれらの部位が外側に露出することもなく、雨水などが室外ユニットの内部に浸入することもない。
【００３７】
さらに、ネジ座１１は段差部１０と一体で絞り形状でできているからその接触端面１２は強固であり、接触端面１２と折り返し端面１５が接触する位置でネジを締め付けるため固定が安定する。
【００３８】
（実施の形態２）
図６〜図１０は、本発明の第２の実施の形態における空気調和機の室外ユニットの構成を示すものである。全体の構成は、図１の内容とまったく同じであるので説明を省略するとともに、実施の形態１と同じ部分については同じ記号を用いて説明する。
【００３９】
図６〜図９はそれぞれ、本実施の形態における空気調和機の室外ユニットの天板１と右側板２の取り付け構成を示す右側斜視図、右側板２の詳細図、天板１の内側斜視図及びそ
の部分詳細図を示している。
【００４０】
図６及び図７において、室外ユニットの天板１には取っ手部８が設けられている。また、右側板２の上部には箱体の内側に落とし込んで設けられた段差部１０が形成され、該段差部１０の幅及び高さは、天板１の取っ手部８を有する辺とほぼ同じ大きさとなっている。段差部１０の上端は、内側に折れ曲がった形状となっており段差部１０の上部の端面強度を確保している。段差部１０には、箱体の外側に突き出して段差部１０を絞って形成された凸形状のネジ受け形状部１７が設けられている。このネジ受け形状部１７は、天板２をネジ固定する際の段差部１０と天板２のスペースを埋めるものである。ネジ受け形状部１７の中央にはネジの下穴が形成される。ネジ受け形状部１７の外側両方には、長方形の引っ掛け穴１８が設けられている。
【００４１】
図８は天板１の内側斜視図、図９は図８におけるネジ固定穴１６、引っ掛け形状部１９周辺を示す天板１の詳細図である。また、図１０は図６におけるＢ−Ｂ断面図を示している。図１０に示すように、天板１及び取っ手部８，９の下端には、天板１の全周内側に連続して下端に円弧形状を有する折り返し部１４が形成される。また図９に示すように、天板１の取っ手部８の両側には、右側板２のネジ受け形状部１７に対応してネジ固定穴１６が設けられている。さらに天板１の折り返し部１４の折り返し高さは、ネジ固定穴１６の近傍のみ少し低くなっている。
【００４２】
また、図９及び図１０に示すように、ネジ固定穴１６の両外側には、内側に折り曲げた折り返し部１４をさらに上方に延長して引っ掛け形状部１９を形成している。引っ掛け形状部１９は、折り返し部１４からその面を垂直に延長した延長垂直部２０と、その先端部分を順次折り曲げて延長傾斜部２１及び延長水平部２２形成され、その位置は、前記の右側板２の引っ掛け穴１８に対応しており、また大きさは、引っ掛け穴１８より少し小さい大きさとなっている。
【００４３】
そして、図１０に示すように右側板２と天板１が組み合わされた状態では、右側板２の引っ掛け穴１８に天板の引っ掛け形状部１９が挿入され、引っ掛け穴１８の上端面と引っ掛け形状部１９の延長水平部２２が接触して天板１の動きを規制している。
【００４４】
一方、このような引っ掛け穴１８や引っ掛け形状部１９は、左側板４には形成されていない。
【００４５】
以上のように構成された室外ユニットについて、以下その動作、作用を説明する。
【００４６】
天板１を室外ユニットに装着するときは、図５のように天板１の右側を一旦、右側板２の右側にずらしたのち、図１０のように右側板２の引っ掛け穴１８に天板１の引っ掛け形状部１９を挿入した状態にしてその後、天板１の左側を左側板４に上から装着し、取っ手部８，９の両側のネジを固定して行う。
【００４７】
図１０に示すように天板１と右側板２が組み合わされた状態のとき、天板１の引っ掛け形状部１９の延長水平部２２が右側板２の引っ掛け穴１８の上側の端面の下側に接触して配置されることになり、延長水平部２２と引っ掛け穴１８の上側の端面が対向接触して天板１の上方への移動を阻止することができる。
【００４８】
つまり、天板１の取っ手部８に手を掛けて室外ユニットを持ち運ぼうとするとき、取っ手部８に圧縮機５の重量を含めて多大な荷重がかかるが、ネジによる締結力に加えて延長水平部２２と引っ掛け穴１８の上側の端面の対向接触で機械的な固定が強化される。
【００４９】
また、前記天板１及び取っ手部８，９の下端には、図８に示すように天板１の全周内側に連続して折り返し部１４が形成されているため、天板１の端面に連続した二重壁ができて断面係数が向上し強度が向上する。また折り返し部１４下端に滑らかな円弧形状を設けているから端面が露出することもない。
【００５０】
以上のように、本実施の形態においては、右側板２の上部に引っ掛け穴１８を設け、天板１及び取っ手部８の下端に折り返し部１４を設け、また折り返し部１４の一部を上方に延長して引っ掛け形状部１９を設け、引っ掛け穴１８に引っ掛け形状部１９が挿入されて引っ掛け穴１８の上側端面と引っ掛け形状部１９の延長水平部２２が対向接触しているから機械的な固定が強化される。そして、天板１の固定に関してネジの緩みや腐食に対しても固定の維持が容易で信頼性を向上させることができる。
【００５１】
また、折り返し部１４を天板１及び取っ手部８，９の全周に設けたことで、天板１全体の強度を向上させることができる。また、折り返し部１４の下端に円弧形状を形成しているため、取っ手部８，９に手を掛けても端面で怪我などをすることもない。
【００５２】
さらに、引っ掛け穴１８や引っ掛け形状部１９を天板１の内側で形成しているので、その部位が外側に露出することもなく雨水などが室外ユニットの内部に浸入することもない。
【００５３】
また、引っ掛け形状部１９は、折り曲げによって延長傾斜部２１や延長水平部２２を形成しているからその形状は強固であり固定が安定する。
【００５４】
また、さらにネジ締結時にネジ受け形状部１７が右側板２と天板１のスペースを埋めることとなるため、ネジ固定穴１６部分の強度の確保ができる。
【００５５】
なお、引っ掛け穴及び引っ掛け形状部を任意の幅に設定することができるため、幅を大きくすることで固定強度をより高めることが可能となる。
【産業上の利用可能性】
【００５６】
以上のように、本発明にかかる空気調和機の室外ユニットは、取っ手部分の強度や信頼性、安全性を向上させたもので、空気調和機以外の電気機器でも適用が可能である。
【図面の簡単な説明】
【００５７】
【図１】本発明の実施の形態１及び２における空気調和機の室外ユニットの外観図
【図２】本発明の実施の形態１における室外ユニットの右側斜視図
【図３】同室外ユニットの右側板の詳細図
【図４】図２におけるＡ−Ａ断面図
【図５】本発明の実施の形態１及び２における空気調和機の室外ユニットの天板装着作業の説明図
【図６】本発明の実施の形態２における室外ユニットの右側斜視図
【図７】同室外ユニットの右側板の詳細図
【図８】同室外ユニットの天板の内側斜視図
【図９】図８における天板の部分詳細図
【図１０】図６におけるＢ−Ｂ断面図
【図１１】従来の空気調和機の室外ユニットの構成を示す斜視図
【図１２】同室外ユニットの断面図
【符号の説明】
【００５８】
１  天板
２  右側板
３  前板
４  左側板
５  圧縮機
６  熱交換器
７  電源カバー
８  取っ手部
１０  段差部
１１  ネジ座
１２  接触端面
１３  スリット穴
１４  折り返し部
１５  折り返し端面
１６  ネジ固定穴
１７  ネジ受け形状部
１８  引っ掛け穴
１９  引っ掛け形状部
【図７】
2010164221.tif 000003
【図１】
2010164221.tif 000004
【図２】
2010164221.tif 000005
【図３】
2010164221.tif 000006
【図４】
2010164221.tif 000007
【図５】
2010164221.tif 000008
【図６】
2010164221.tif 000009
【図８】
2010164221.tif 000010
【図９】
2010164221.tif 000011
【図１０】
2010164221.tif 000012
【図１１】
2010164221.tif 000013
【図１２】
2010164221.tif 000014